(57)【要約】【課題】  生コンクリートの製造装置などを洗浄した際に発生するアルカリ性廃水を、構造簡単な装置によって、中和処理を施し、放流規制値に調整して放流できるｐＨ中和装置を提供する。【解決手段】  供給路２、薬液槽３、中和槽４、記録槽５、薬液ポンプ６、中和槽ｐＨセンサー７、記録槽ｐＨセンサー８から構成されている。中和槽４のｐＨセンサー７を中性域の調整用に、記録槽５のｐＨセンサー８を放流監視用にしてある。中和槽４のｐＨセンサー７と記録槽５のｐＨセンサー８に超音波発信式洗浄機１４，１５を付設してある。【選択図】  図１
0003118487.tif 000002
【実用新案登録請求の範囲】
【請求項１】
原水が供給される供給路と、薬液が収容された薬液槽と、薬液槽の薬液を供給する薬液ポンプと、供給路からの原水と薬液ポンプからの薬液が供給される中和槽と、原水と薬液とを撹拌させる撹拌機と、中和水を貯留する記録槽と、中和槽と記録槽のｐＨ値を検出する超音波発信式洗浄機付きｐＨセンサーと、記録槽のｐＨセンサーからの信号で放流側またはリターン側に送る放流切替弁と、制御盤にＣＴ型多機能電流計とを装備したことを特徴とするｐＨ中和装置。
【請求項２】
制御盤の表面にタッチパネル、ペーパーレス記録計を設けたことを特徴とする請求項１記載のｐＨ中和装置。
【請求項３】
制御盤内にワイヤレスモデムを装備してなる請求項１または請求項２記載のｐＨ中和装置。
【考案の詳細な説明】
【技術分野】
【０００１】
本考案は、例えば生コンクリート工場の製造装置に付着された生コンクリートを洗浄した際に発生する強アルカリ性廃水を、放流規制値に調整して中和処理するｐＨ中和装置の改良に関するものである。
【背景技術】
【０００２】
従来から、生コンクリート工場の製造装置の排水処理や一般工場における雨水の排水処理あるいは土木工事現場での強アルカリ性湧出水を処理する場合に、中和剤を混ぜてｐＨ値を規制値（５．８〜８．６）内に調整して、無害な液体に処理した後に放流することが義務づけされており、例えば、図２に示すようなフローシートのｐＨ中和装置が提供されている。
【０００３】
このｐＨ中和装置３１は、原水３２が供給される供給路３３と、薬液３４が貯留された薬液貯留槽３５と、薬液３４を供給する薬液ポンプ３６と、供給路３３からの原水３２と薬液ポンプ３６からの薬液３４とを強制的に混合させて中和させる混合機３７と、混合機３７からの中和水を貯留する放流記録槽３８と、放流記録槽３８に貯留された中和水のペーハーを検出するペーハー検出器３９と、放流記録槽３８の中和水を放流させる放流路４０とから構成された中和装置３１が知られている（例えば、特許文献１）。
【特許文献１】登録実用新案第３０４９２５２号公報
【考案の開示】
【考案が解決しようとする課題】
【０００４】
しかしながら、上記特許文献１のｐＨ中和装置３１は、原水３２と薬液３４とを強制的に混合させて中和させる混合機３７を配管中に配設するライン撹拌であるため、装置全体および設置スペースを小さくできる長所があっても、混合機３７は密閉型で内部が複数の混合室内３７ａ，３７ａ………３７ａに仕切ら複雑化していて、下方から上方へ押し出される中和水のｐＨ値は混合室では検出されず、放流記録槽３８のｐＨ検出器３９で検出することになり、放流値の値が上限、下限にブレ正確なｐＨ値が検出できなく、規制値外で放流する虞れがあった。
【０００５】
本考案は、上記の問題点を解決することを課題として研究開発されたもので、構造簡単な装置によって、処理対象廃水のｐＨ値を規制値まで引き下げ、放流ｐＨ値の変動を低減でき、より確実に放流規制値を守って放流でき、かつ放流水質の異常を検出できるｐＨ中和装置を提供することを目的とするものである。
【課題を解決するための手段】
【０００６】
上記の課題を解決し、その目的を達成する手段として、本考案は、原水が供給される供給路と、薬液が収容された薬液槽と、薬液槽の薬液を供給する薬液ポンプと、供給路からの原水と薬液ポンプからの薬液が供給される中和槽と、原水と薬液とを撹拌させる撹拌機と、中和水を貯留する記録槽と、中和槽と記録槽のｐＨ値を検出する超音波発信式洗浄機付きｐＨセンサーと、記録槽のｐＨセンサーからの信号で放流側またはリターン側に送る放流切替弁と、制御盤にＣＴ型多機能電流計とを装備したことを特徴とするｐＨ中和装置を開発し、採用した。
【０００７】
上記のように構成したｐＨ中和装置において、制御盤の表面にタッチパネル、ペーパーレス記録計を設けたｐＨ中和装置、および制御盤内にワイヤレスモデムを装備したｐＨ中和装置を開発し、採用した。
【０００８】
原水が供給される供給路は、生コンクリート工場のバッチャープラントから排出される廃水やコンクリートミキサー車のタンク内を洗浄した後の廃水などを一時貯める沈澱槽に一端部があり、原水をポンプで汲み上げ中和槽に供給する。これらの廃水には砂利分が混入しており、その砂利分が装置内に混入すると故障発生の原因になることから、砂利分を充分沈降させてアルカリ性の原水のみを供給する。原水のレベルはレベルセンサーにて管理されている。
【０００９】
薬液槽は、中和剤の薬液として硫酸や塩酸が収容されており、その薬液を汲み上げて中和層に供給する薬液ポンプを備えると共に、薬液のレベルを検出するレベルセンサーも装備している。
【００１０】
中和槽は、上方開放型のタンクであり、供給路からの原水と薬液槽からの薬液が供給される。その原水と薬液とを混合撹拌する撹拌機を備えていると共に、超音波発信式洗浄機付きｐＨ調整専用のｐＨセンサーが設けられており、検知部の感度低下を防いで長期に亘って感度良好の状態を保持する。
【００１１】
記録槽は、中和槽と隣接しており、中和水が導入される導入室と、これに下部同士が連通され超音波発信式洗浄機付きｐＨ監視記録用のｐＨセンサーの設けられた記録室とに区分けされている。また、記録槽に連結する排出管に放流切換弁を取り付けてあり、規制値であれば正常放流が行われ、水質異常時には装置を停止させることなく、沈澱槽へリターンさせて再処理を行うことができる。
【００１２】
本考案に用いられる制御盤にはＣＴ型多機能電流計を設けてあり、過電流保護・不足電流保護・欠損運転保護・逆相保護・ロックロータ保護・ストール保護の状態を管理でき、危機の修理が的確に迅速に行えるようになっている。また、沈澱槽、薬液槽、中和槽、記録槽の液量、ｐＨの状態表示、ポンプ、モーター部の表示、バルブ状態表示および運転状態表示などを示すタッチパネルと、記録を紙でなく電子媒体に記録するペーパーレス記録計と、ワイヤレスモデムを設けて異常を連絡できるようになっている。
【考案の効果】
【００１３】
本考案は中和槽と記録槽にｐＨセンサーが設けられてあり、中和槽のｐＨセンサーは調整専用とし、記録槽のｐＨセンサーは放流ｐＨ値の監視記録専用としてあるから、放流ｐＨ値の変動を低減でき、確実に規制放流値を厳守して放流でき、かつ放流水質の異常を検知できる。また、そのｐＨセンサーには超音波発信式洗浄機を付設してあるから、検知部に石灰被膜が付着せず長きに亘って検知感度が良好になる。
【００１４】
また、記録槽に連結された排出管に放流切換弁を設けてあるから、ｐＨセンサーに異常信号が出力されると、装置を停止させることなく、水質異常水を沈澱槽へリターンさせて、再処理を行うことができ、ｐＨ値が高いままで放流することがなくなる。
【００１５】
さらに、制御盤内にＣＴ型多機能電流計を装備したから、各機器のトリップ原因、過電流・ロックロータ・ストール・欠損・逆相・不足電流・不平衡電流などを特定でき、機器の修理が的確に迅速に行える。
【００１６】
また、制御盤にタッチパネルを設けてあるから、運転状況の詳細を表示して、操作者に装置の状況を一目で分かると共に、ぺーパーレス記録計を設けたから、紙切れによる記録漏れがなくなる。パソコンに伝送しデータ保存できると共に集中管理ができる。さらに、制御盤内にはワイヤレスモデムがあることから、異常時に装置の管理者が近くにいなくても、異常の信号を電話・携帯電話などで受け取ることができ、遠隔監視が可能になる。
【考案を実施するための最良の形態】
【００１７】
以下に、本考案の実施の形態を図１のフローシートに基づいて説明すれば、本考案のｐＨ中和装置１は、大別すれば原水Ａを供給する供給路２と、薬液槽３と、中和槽４と、記録槽５と、薬液ポンプ６と、ｐＨセンサー７，８とで構成されている。
【００１８】
供給路２は、生コンクリート工場のバッチャープラントから排出される強アルカリ性廃水を一時貯留する沈澱槽９内に一端部を入れ、他端部を中和槽４の上方に臨ませ、沈澱槽９の原水Ａを水中ポンプ１０で汲み上げ中和槽４に供給する。１１は沈澱槽９のレベルセンサーで、原水Ａのレベルを一定量貯留するように検知している。
【００１９】
一方、薬液槽３の中には硫酸Ｂが収容されてあり、薬液ポンプ６で汲み上げ送給管１２を経て中和槽４に供給される。１３は撹拌機で、原水Ａと硫酸Ｂを充分に混合撹拌して中和させ、超音波発信式洗浄機１４を付加した調整用ｐＨセンサー７でｐＨ値を検出するようになっている。
【００２０】
記録槽５は導入室５ａと記録室５ｂとに仕切られているが、下部で連通しており、記録室５ｂに放流監視用のｐＨセンサー８が設けられている。このｐＨセンサー８も超音波発信式洗浄機１５を付加してあり、放流用ｐＨ値を検出する。
【００２１】
１６は記録槽５に連結する排出管１７に設けた放流切換弁であり、ｐＨ値が規制値内であれば放出管１８を経て正常放流が行われるが、水質異常を検出すると、装置を停止させることなく、異常水を配管１９を経て沈澱槽９へリターンさせて再処理を行う。
【００２２】
２０は制御盤であり、正面の上方部にＣＴ型多機能電流計２１を設けてあり、過電流保護・不足電流保護・欠損運転保護・逆相保護・ロックロータ保護・ストール保護の状態を管理できると共に、上記のトリップ原因の場合は特定でき、機器の修理が的確に迅速に行えるようになっている。
【００２３】
２２は制御盤２０の正面部に設けたタッチパネルであり、沈澱槽、薬液槽、中和槽、記録槽の液量、ｐＨの状態表示やポンプ、モーター部の状態表示やバルブ状態表示および運転状態表示などが示されており、装置の状況が解りやすくなっている。
【００２４】
２３はタッチパネルの下方部に設けたペーパーレス記録計であり、記録を紙で電子媒体に記録するものであり、ノートパソコン等があれば直接ケーブルを繋いでデータを保存することができる。また、データの改ざんなど一切できないようになっている。
【００２５】
２４は制御盤２０に内蔵されているワイヤレスモデムであり、異常発生時に異常内容をそれぞれ個別的に送信する。送信する形態は、Ｅメールで携帯電話やパソコンなどへ送信するか、直接電話機へ音声通話を行う。
【００２６】
このように構成したｐＨ中和装置の使用状態を作用、効果と共に説明すると、供給路２の一端部を沈澱槽９内に入れ、水中ポンプ１０で原水Ａを汲み上げて中和槽４に供給する。一方、薬液槽３内の硫酸Ｂは薬液ポンプ６により送給管１２を経て中和槽４に注入され、中和層に収容された原水と撹拌機１３によって混合撹拌して中和反応を起こしｐＨ値を、中性域に調整し、その値はｐＨセンサー７で確認できる。
【００２７】
中和槽４にて中和された中和水は隣接する記録槽５の導入室５ａに導入された後、記録室５ｂに移流され、放流ｐＨ値の監視ｐＨセンサー８にて検出される。このｐＨセンサー８にて規制値５．８〜８．６が確認されると排出管１７から放流される。これにより、放流ｐＨ値の変動を低減でき、かつ放流水質の異常を検知できる。
【００２８】
中和槽４および記録槽のｐＨセンサー７と８には、超音波発信式洗浄機１４，１５が付加されてあり、従来の洗浄機のないｐＨセンサーでは数日で検知部に石灰被膜が付着し、感度低下を引き起こしてｐＨ値に悪影響を及ぼしていたが、そのようなことがなくなり長期に亘って検知部は感度良好を保持できる。
【００２９】
記録槽５には排出管１７が連結され、その途中に放流切替弁１６を設けてあるから、仮に水質の変動、機器の故障により処理不良が発生すると、異常水を沈澱槽９へリターンさせて、再処理することができると共に、装置を停止させる必要がない。
【００３０】
また、制御盤２０にはＣＴ型多機能電流計を装備してあるから、トリップ原因による過電流・ロックロータ・ストール・欠損・逆相・不足電流・不平衡電流などであれば、特定でき機器の修理が的確に迅速に行い得るものである。
【００３１】
以上、本考案の主要な実施の形態について説明したが、本考案は上記の実施の形態に限定されるものではなく、例えば、処理する廃水に沈澱物質が混入していないものであれば、沈澱槽を使う必要はなく、原水槽を使用することもある。また、薬液も硫酸以外のものを用いることも可能であって、要するに本考案の目的を達成でき、その要旨を逸脱しない範囲内で種々の設計変更を行い得るものである。
【産業上の利用可能性】
【００３２】
本考案は、生コンクリート工場のバッチャープラントから排出される廃水の廃水処理装置として、または一般工場の雨水排水の処理装置として、あるいは土木工事現場の強アルカリ性湧出水の処理装置などとして利用可能である。
【図面の簡単な説明】
【００３３】
【図１】本考案のｐＨ中和装置のフローシートである。
【図２】従来のｐＨ中和装置のフローシートである。
【符号の説明】
【００３４】
１    ｐＨ中和装置
２    供給路
３    薬液槽    
４    中和槽
５    記録槽
６    薬液ポンプ
７    ｐＨセンサー
８    ｐＨセンサー
１３  撹拌機
１４  超音波発信式洗浄機
１５  超音波発信式洗浄機
１６  放流切替弁
２０  制御盤
２１  ＣＴ型多機能電流計
２２  タッチパネル
２３  ペーパーレス記録計
２４  ワイヤレスモデム
Ａ    原水
Ｂ    薬液
【図１】
0003118487.tif 000003
【図２】
0003118487.tif 000004